(57)【要約】【課題】照明効果を向上させるＬＥＤランプを提供する。【解決手段】口金１、ランプ体２、駆動回路３、放熱体４、第一反射体５、ＬＥＤランプ板６、第二反射体７、カバー体８によって構成される。口金１はランプ体２の下端に固定し、ランプ体２の上端は放熱体４内に嵌入する。駆動回路３はランプ体２内に取り付け、第一反射体５は放熱体４の上端周囲に被嵌し、第一反射体５の外表面に反射筒面を形成する。ＬＥＤランプ板６は放熱体の頂面に取り付けると共に、駆動回路３を介して口金１と連結する。第二反射体７はＬＥＤランプ板６上に取り付け、ＬＥＤランプ板６の一面に反射曲面７２を形成し、反射曲面７２上には複数の貫通孔７１を形成する。カバー体８は第二反射体７、ＬＥＤランプ板６、第一反射体５、放熱体４、ランプ体２を被覆すると共に、ランプ体２上に取り付ける。よって、１３５°〜１８０°区間では少なくとも５％全光束量の照射効果を有する。【選択図】図１
0003179420.tif 000002
【実用新案登録請求の範囲】
【請求項１】
口金、ランプ体、駆動回路、放熱体、第一反射体、ＬＥＤランプ板、第二反射体、及びカバー体によって構成されるＬＥＤランプにおいて、
口金はランプ体の下端に固定され、
ランプ体の上端は放熱体内に嵌入され、
駆動回路はランプ体内に取り付けられ、
第一反射体は放熱体の上端周囲に被嵌され、第一反射体の外表面に反射筒面を形成し、
ＬＥＤランプ板は放熱体の頂面に取り付けられると共に、駆動回路を介して口金と連結させ、
第二反射体はＬＥＤランプ板上に取り付けられると共に、ＬＥＤランプ板の一面に反射曲面を形成し、反射曲面上には複数の貫通孔を形成し、
カバー体は第二反射体、ＬＥＤランプ板、第一反射体、放熱体、及びランプ体を被覆すると共に、ランプ体上に取り付けられることを特徴とするＬＥＤランプ。
【請求項２】
前記ＬＥＤランプ板は、ＭＣＰＣＢ（Ｍｅｔａｌ  Ｃｏｒｅ ＰＣＢ）と複数のＬＥＤとからなり、複数のＬＥＤをＭＣＰＣＢ上に連結することを特徴とする請求項１に記載のＬＥＤランプ。
【請求項３】
前記ランプ体には、下連接端部、上連接端部、及び中間筒体を設け、中間筒体の頂部には、嵌着部を形成し、放熱体は、連結嵌合部と取付台を備え、取付台上には、嵌着孔をあけ、口金をランプ体の下連接端部に固定し、連結嵌合部を中間筒体上に被嵌し、嵌着部によって嵌着孔中に嵌入し、取付台を中間筒体の頂部に固定し、第一反射体を連結嵌合部上に被嵌し、第二反射体とＬＥＤランプ板をねじで取付台上に固定し、カバー体を上連接端部に取り付けて固定することを特徴とする請求項１に記載のＬＥＤランプ。
【考案の詳細な説明】
【技術分野】
【０００１】
本考案は、ＬＥＤランプに関する。
【背景技術】
【０００２】
従来技術において、ＬＥＤランプは、口金、ランプ体、駆動回路、放熱体、ＬＥＤランプ板、及びカバー体によって構成される。口金をランプ体の下端に固定し、ランプ体の上端を放熱体内に嵌入し、駆動回路をランプ体内に取り付け、ＬＥＤランプ板は放熱体上に取り付け、且つ駆動回路を介して口金と連結させ、カバー体でＬＥＤランプ板上を覆い、放熱体の上端に取り付ける。作動時、ＬＥＤランプ板上のＬＥＤが通電されて発光すると、光線はカバー体を通して照明を実現する。
【０００３】
しかし、前記構造を有するＬＥＤランプは、ＬＥＤランプ板がフラット状であり、その発光角度がほぼ１２０°で、照射範囲が小さいため、発光照明効果が好ましくない。
本考案者は、上記の欠点に鑑み、従来のＬＥＤランプ構造に対して改善を行い、本考案を生み出した。
【先行技術文献】
【特許文献】
【０００４】
【特許文献１】なし
【考案の概要】
【考案が解決しようとする課題】
【０００５】
本考案は、照明効果を向上させることができる、ＬＥＤランプの提供を目的とする。
【課題を解決するための手段】
【０００６】
前述の目的を達成するための本考案の技術手段は次のとおりである。
ＬＥＤランプは、口金、ランプ体、駆動回路、放熱体、第一反射体、ＬＥＤランプ板、第二反射体、及びカバー体によって構成される。口金はランプ体の下端に固定し、ランプ体の上端は放熱体内に嵌入する。駆動回路はランプ体内に取り付け、第一反射体は放熱体の上端周囲に被嵌し、第一反射体の外表面に反射筒面を形成する。ＬＥＤランプ板は放熱体の頂面に取り付け、ＬＥＤランプ板は駆動回路を介して口金と連結する。第二反射体はＬＥＤランプ板上に取り付け、第二反射体はＬＥＤランプ板の一面方向に反射曲面を形成し、反射曲面上には若干の貫通孔を形成する。カバー体は第二反射体、ＬＥＤランプ板、第一反射体、放熱体、及びランプ体上に被覆し、並びに、ランプ体上に取り付ける。
【０００７】
前記ＬＥＤランプ板はＭＣＰＣＢ（Ｍｅｔａｌ  Ｃｏｒｅ  ＰＣＢ、メタルコアプリント基板）と若干のＬＥＤより成り、若干のＬＥＤをＭＣＰＣＢ上に連結する。
【０００８】
前記ランプ体には下連接端部、上連接端部、及び中間筒体を設け、中間筒体の頂部には嵌着部を形成する。放熱体には連結嵌合部と取付台を設置し、取付台上には嵌着孔をあけ、口金をランプ体の下連接端部に固定する。連結嵌合部は中間筒体上に被嵌し、嵌着部によって嵌着孔中に嵌入し、取付台を中間筒体の頂部に固定する。第一反射体を連結嵌合部上に被嵌し、第二反射体とＬＥＤランプ板をねじで取付台上に固定し、カバー体を上連接端部に取り付けて固定する。
【考案の効果】
【０００９】
前述手段を採用した本考案は、ランプカバーに第一反射体と第二反射体を追加している故に、通電後ＬＥＤが点灯した時に、一部の光線が第二反射体の貫通孔を通り外側に送られ、一部の光線は第二反射体の反射曲面を通して反射されて送られる。第二反射体の貫通孔の隙間及び反射曲面の円弧度を制御することにより、０°〜１３５°範囲内（垂直軸対称）の任意角度間における光強度差は２０%を超えず、且つ１３５°〜１８０°区間では少なくとも５%の全光束量の照射効果を有しており、よって、本考案は大幅に照明効果を高めることができる。
【図面の簡単な説明】
【００１０】
【図１】本考案の立体分解図である。
【図２】本考案の組立断面図である。
【図３】本考案の側面図である。
【図４】本考案の上面図である。
【考案を実施するための形態】
【００１１】
以下に、図面を参照しながら、本考案を実施するための最良の形態について詳細に説明する。
【００１２】
図１から図４に示すとおり、本考案の開示するＬＥＤランプは、口金１、ランプ体２、駆動回路３、放熱体４、第一反射体５、ＬＥＤランプ板６、第二反射体７、及びカバー体８によって構成される。
【００１３】
前記口金１はランプ体２の下端に固定する。
【００１４】
前記ランプ体２の上端は放熱体４内に嵌入する。構造を好ましいものとし、便利に組立できるよう、本実施例のランプ体２には、下連接端部２１、上連接端部２２、及び中間筒体２３を設け、中間筒体２３の頂部には、嵌着部２４を形成する。放熱体４には、連結嵌合部４１と取付台４２を設置し、取付台４２上には、嵌着孔４３をあけ、連結嵌合部４１は中間筒体２３上に被嵌し、嵌着部２４によって嵌着孔４３中に嵌入し、取付台４２を中間筒体２３の頂部に固定し、口金１をランプ体２の下連接端部２１に固定する。
【００１５】
前記駆動回路３は、ランプ体２内、すなわち、下連接端部２１と中間筒体２３内に取り付ける。
【００１６】
前記第一反射体５は放熱体４の上端周囲に被嵌する。本実施例では、第一反射体５を連結嵌合部４１上に被嵌し、第一反射体５の外表面に反射筒面を形成する。
【００１７】
前記ＬＥＤランプ板６は放熱体４の頂面に取り付ける。本実施例では、ＬＥＤランプ板６を取付台４２上に取り付け、ＬＥＤランプ板６は駆動回路３を介して口金１と連結する。ＬＥＤランプ板６は実際にＭＣＰＣＢ（Ｍｅｔａｌ  Ｃｏｒｅ  ＰＣＢ、メタルコアプリント基板）６１と若干のＬＥＤ６２とより成り、若干のＬＥＤ６２をＭＣＰＣＢ６１上に連結する。
【００１８】
前記第二反射体７は、ＬＥＤランプ板６上に取り付け、本実施例では、実際には、第二反射体７とＬＥＤランプ板６をねじ９で取付台４２上に固定する。第二反射体７は、ＬＥＤランプ板６の一面に反射曲面７２を形成し、反射曲面７２上には、若干の貫通孔７１を形成する。
【００１９】
前記カバー体８は第二反射体７、ＬＥＤランプ板６、第一反射体５、放熱体４、及びランプ体２上に被覆し、並びに、ランプ体２上に取り付ける。本実施例では、実際にはカバー体８を上連接端部２２に取り付けて固定する。
【００２０】
本考案を使用時は、通電後、ＬＥＤ６２が点灯され、一部の光線は第二反射体７の貫通孔７１を通して外側に送られ、一部の光線は第二反射体７の反射曲面７２を通して反射されて送られる。貫通孔７１の隙間及び反射曲面７２の円弧度を制御することにより、０°〜１３５°範囲内（垂直軸対称）の任意角度間における光強度差は２０%を超えず、且つ１３５°〜１８０°区間では少なくとも５%の全光束量の照射効果を有し、大幅に照明効果を高めることができる。
【００２１】
前記実施例及び図面は本考案の製品形態及びスタイルを限定するものではなく、当該技術分野に属する当業者によってなされる変化や修飾はいずれも、本実用新案の登録請求範囲を逸脱しないものとみなす。
【符号の説明】
【００２２】
１：口金
２：ランプ体
２１：下連接端部
２２：上連接端部
２３：中間筒体
２４：嵌着部
３：駆動回路
４：放熱体
４１：連結嵌合部
４２：取付台
４３：嵌着孔
５：第一反射体
６：ＬＥＤランプ板
６１：ＭＣＰＣＢ
６２：ＬＥＤ
７：第二反射体
７１：貫通孔
７２：反射曲面
８：カバー体
９：ねじ
【図１】
0003179420.tif 000003
【図２】
0003179420.tif 000004
【図３】
0003179420.tif 000005
【図４】
0003179420.tif 000006